【手続補正書】
【提出日】平成29年8月31日(2017.8.31)
【手続補正１】
【補正対象書類名】特許請求の範囲
【補正対象項目名】全文
【補正方法】変更
【補正の内容】
【特許請求の範囲】
【請求項１】
複数種類の先読み予告演出を実行可能な先読み予告演出実行手段を備えたぱちんこ遊技機であって、
前記複数種類の先読み予告演出のうちの一の先読み予告演出は、装飾図柄の変動表示中であっても前記装飾図柄の変動固定時間中であっても演出が開始可能な第１先読み予告演出であり、
前記複数種類の先読み予告演出のうちの一の先読み予告演出は、前記変動固定時間が終了した後の前記装飾図柄の変動開始に基づいて演出が開始される第２先読み予告演出であり、
複数種類の演出モードに応じた演出を実行可能に構成されており、
前記複数種類の演出モードのうちの一の演出モードは、第１の演出モードであり、
前記複数種類の演出モードのうちの一の演出モードは、前記第１の演出モードとは異なる第２の演出モードであり、
前記第１の演出モードと前記第２の演出モードとで、前記先読み予告演出が開始される割合が異なるように構成されており、
保留数に対応する数の保留アイコンを表示可能な表示手段を備え、
前記保留数が増加した場合に、増加した保留数に対応した保留アイコンを前記表示手段に表示させ、
前記第１先読み予告演出は、前記保留アイコンを用いた表示による先読み予告演出であり、
前記第２の演出モードには、前記第１の演出モードから移行可能である
ことを特徴とするぱちんこ遊技機。
【請求項２】
前記ぱちんこ遊技機は、
大当りとなることを示す第１の図柄と、大当りとならないことを示す第２の図柄と、大当りとならないことを示し前記第２の図柄と異なる第３の図柄とを含む複数の特別図柄を停止表示可能であり、
前記特別図柄が停止表示されるよりも前に、当該停止表示される図柄を特定可能に構成されており、
前記第２の図柄が停止表示されることが特定された場合には、前記第３の図柄が停止表示されることが特定された場合よりも前記先読み予告演出が実行されやすいことを特徴とする請求項１記載のぱちんこ遊技機。
【手続補正２】
【補正対象書類名】明細書
【補正対象項目名】０００６
【補正方法】変更
【補正の内容】
【０００６】
本態様に係るぱちんこ遊技機は、
複数種類の先読み予告演出を実行可能な先読み予告演出実行手段を備えたぱちんこ遊技機であって、
前記複数種類の先読み予告演出のうちの一の先読み予告演出は、装飾図柄の変動表示中であっても前記装飾図柄の変動固定時間中であっても演出が開始可能な第１先読み予告演出であり、
前記複数種類の先読み予告演出のうちの一の先読み予告演出は、前記変動固定時間が終了した後の前記装飾図柄の変動開始に基づいて演出が開始される第２先読み予告演出であり、
複数種類の演出モードに応じた演出を実行可能に構成されており、
前記複数種類の演出モードのうちの一の演出モードは、第１の演出モードであり、
前記複数種類の演出モードのうちの一の演出モードは、前記第１の演出モードとは異なる第２の演出モードであり、
前記第１の演出モードと前記第２の演出モードとで、前記先読み予告演出が開始される割合が異なるように構成されており、
保留数に対応する数の保留アイコンを表示可能な表示手段を備え、
前記保留数が増加した場合に、増加した保留数に対応した保留アイコンを前記表示手段に表示させ、
前記第１先読み予告演出は、前記保留アイコンを用いた表示による先読み予告演出であり、
前記第２の演出モードには、前記第１の演出モードから移行可能である
ことを特徴とするぱちんこ遊技機である。
尚、本態様に係るぱちんこ遊技機は、
大当りとなることを示す第１の図柄と、大当りとならないことを示す第２の図柄と、大当りとならないことを示し前記第２の図柄と異なる第３の図柄とを含む複数の特別図柄を停止表示可能であり、
前記特別図柄が停止表示されるよりも前に、当該停止表示される図柄を特定可能に構成されており、
前記第２の図柄が停止表示されることが特定された場合には、前記第３の図柄が停止表示されることが特定された場合よりも前記先読み予告演出が実行されやすいことを特徴としてもよい。
＜付記＞
尚、本態様とは異なる別態様について以下に列記しておくが、これらには何ら限定されることなく実施することが可能である。
本別態様に係るぱちんこ遊技機は、
遊技球が入球可能な始動口（例えば、第１主遊技始動口Ａ１０）と、
開状態と閉状態を採り得る可変入賞口（例えば、第１大入賞口Ｃ１０、第２大入賞口Ｃ２０）と、
識別情報を表示可能な識別情報表示部（例えば、第１主遊技図柄表示部Ａ２１ｇ）と、
始動口（例えば、第１主遊技始動口Ａ１０）への入球に基づき、乱数を取得する乱数取得手段（例えば、乱数取得判定実行手段ＭＪ２０）と、
乱数取得手段（例えば、乱数取得判定実行手段ＭＪ２０）により乱数が取得された場合、識別情報の変動表示開始条件を充足するまで当該取得された乱数を一時記憶して、保留が生起するよう制御する乱数一時記憶手段（例えば、保留制御手段ＭＪ３０）と、
ある保留に関する識別情報の変動表示開始条件を充足した場合において、当該ある保留に係る前記乱数に基づき当否判定を実行し、当該当否判定結果に基づく識別情報の停止表示態様と識別情報の変動表示態様とを決定する遊技内容決定手段（例えば、遊技内容決定手段ＭＮ）と、
遊技内容決定手段（例えば、遊技内容決定手段ＭＮ）による決定に従い、識別情報表示部（例えば、第１主遊技図柄表示部Ａ２１ｇ）にて識別情報を変動表示させた後に識別情報を停止表示させるよう制御する識別情報表示制御手段（例えば、第１・第２主遊技図柄制御手段ＭＰ１１‐Ｃ）と、
前記乱数に基づく当否判定結果が当選であって識別情報が停止表示された後において、可変入賞口（例えば、第１大入賞口Ｃ１０、第２大入賞口Ｃ２０）を遊技者にとって有利な状態とし得る特別遊技を実行可能な特別遊技制御手段（例えば、特別遊技制御手段ＭＰ３０）と
を備え、
前記乱数に基づく当否判定結果が非当選である場合における識別情報の停止表示態様に係る種類として、非当選時識別情報停止表示態様Ａと非当選時識別情報停止表示態様Ｂとを少なくとも有しており、
識別情報の停止表示態様が非当選時識別情報停止表示態様Ａとなる場合における識別情報の変動表示期間よりも、識別情報の停止表示態様が非当選時識別情報停止表示態様Ｂとなる場合における識別情報の変動表示期間の方が、相対的に長期間となり易いよう構成されており、
ある保留が生起した後から当該ある保留に関する識別情報の変動表示開始条件を充足するより前に、当該ある保留の存在を遊技者に対して示す保留先読み情報を遊技者に対して事前に示唆又は報知可能であり、
ある保留が生起した後から当該ある保留に関する識別情報の変動表示開始条件を充足するより前に、当該ある保留に関する識別情報の変動表示開始条件を充足した際に予定されている識別情報の停止表示態様を事前判定し、当該事前判定結果が、非当選時識別情報停止表示態様Ｂである場合には、前記保留先読み情報を遊技者に対して事前に示唆又は報知し得る一方で、当該事前判定結果が、非当選時識別情報停止表示態様Ａである場合には、前記保留先読み情報を遊技者に対して事前に示唆又は報知しないか、或いは、当該事前判定結果が非当選時識別情報停止表示態様Ｂである場合と比較して、前記保留先読み情報を遊技者に対して事前に示唆又は報知する頻度が相対的に低下するよう構成されている
ことを特徴とするパチンコ遊技機である。